(57)【要約】【課題】水栓金具において、合成樹脂管との接続作業を容易にかつ確実に行なえるようにして、施工性の向上を図る。【解決手段】天板Ａに固定される本体１には水と湯が混合される混合室５が形成され、該混合室５の湯水が吐水される吐水管４が装着された水栓金具Ａにおいて、前記混合室５の下部に嵌合孔６を開口し、該嵌合孔６に管継手８を着脱自在に結合し、該管継手８は合成樹脂製の通水管１２を差し込むだけで接続することのできるプッシュロック式とした。【選択図】　図１
2004068514.tif 000002
【特許請求の範囲】
【請求項１】
天板に固定される本体には水と湯が混合される混合室が形成され、該混合室の湯水が吐水される吐水管が装着された水栓金具において、前記混合室の下部に嵌合孔を開口し、該嵌合孔に管継手を着脱自在に結合し、該管継手は合成樹脂製の通水管を差し込むだけで接続することのできるプッシュロック式としたことを特徴とする水栓金具。
【請求項２】
前記管継手は、外周に雄ねじ部を形成し該雄ねじ部の内側に通水管を外嵌する案内部を設けた継手本体と、前記雄ねじ部に螺着するナットと、該ナットと案内部の間に介在させるリングとを備え、合成樹脂製の通水管を差し込むだけで接続状態とすることができることを特徴とする請求項１記載の水栓金具。
【請求項３】
前記本体はハンドルの操作で該ハンドルと連繋した弁体が弁座に接離し、管継手の通路から混合室への流路を開閉する弁機構を備え、前記弁座を管継手に形成したことを特徴とする請求項１又は２記載の水栓金具。
【発明の詳細な説明】
【０００１】
【発明の属する技術分野】
この発明は、例えばヘッダー配管に接続される水栓金具に関するものである。
【０００２】
【従来の技術】
一般に集合住宅，戸建住宅等において、洗面台，流し台，浴室，トイレ，洗濯機等の水栓金具へ給水，給湯配管の施工を行なう場合、建物の躯体工事の際に水，湯の各ヘッダーと水栓金具との間で蛇腹状の鞘管をタコ足状に配設しておき、設備工事の際にこの鞘管内に水，又は湯用の合成樹脂製からなる通水管を挿通させ、ヘッダーと水栓金具とを接続する鞘管工法が行なわれている。
【０００３】
この鞘管工法により鞘管に通水管を挿通し、該通水管を床板の上部に立ち上げて床板の上部に配置された継手部材に接続し、該継手部材から水栓金具へ水又は湯を供給する構造として公知のものに特開平１１−２６４１５９号公報の図１及び図３（本願図面の図４及び図５）のものがある。この図４及び図５について簡単に説明すると、建物内で給水源からの水を供給する水用ヘッダー３０及び給湯器３１からの湯を供給する湯用ヘッダー３２と浴室，流し台又は洗面台の天板３３に取り付けた水栓金具３４の配管接続は、予め蛇腹状の鞘管３７を壁裏、床下に配設し、後からポリエチレン管等の合成樹脂で形成された通水管３８を鞘管３７内に挿通し、水栓金具３４は水，湯用の連結管３５を下方に延設し、該連結管３５と通水管３８とは、ナット３６を連結管３５に螺着することで接続していた。
【０００４】
上記のものにあっては、鞘管内を挿通した通水管を水栓金具に接続するのに、ナットを何度も回転させて螺着することで接続する必要があり、天板の下部の狭い箇所での作業では、ナットの締め付け不足や無理な姿勢での接続による施工ミスが発生しやすく、施工ミスにより漏水の発生する可能性が高くなる等の問題があった。
【０００５】
【発明が解決しようとする課題】
本発明が解決しようとする課題は、水栓金具において、通水管との接続作業を容易にかつ確実に行なえるようにして、施工性の向上を図ることである。
【０００６】
【課題を解決するための手段】
本発明は請求項１では、天板に固定される本体には水と湯が混合される混合室が形成され、該混合室の湯水が吐水される吐水管が装着された水栓金具において、前記混合室の下部に嵌合孔を開口し、該嵌合孔に管継手を着脱自在に結合し、該管継手は合成樹脂製の通水管を差し込むだけで接続することのできるプッシュロック式としたものである。
【０００７】
請求項２では、前記管継手は、外周に雄ねじ部を形成し該雄ねじ部の内側に通水管を外嵌する案内部を設けた継手本体と、前記雄ねじ部に螺着するナットと、該ナットと案内部の間に介在させるリングとを備え、合成樹脂製の通水管を差し込むだけで接続状態とすることができるものである。
【０００８】
請求項３では、前記本体はハンドルの操作で該ハンドルと連繋した弁体が弁座に接離し、管継手の通路から混合室への流路を開閉する弁機構を備え、前記弁座を管継手に形成したものである。
【０００９】
【発明の実施の形態】
以下、本発明の実施の形態を図に基づいて詳細に説明する。
本発明は図１及び図２に示すように、洗面台や流し台の天板Ｂに固定される水栓金具Ａは、本体１の上部両端に水側ハンドル２と湯側ハンドル３とを備え、中央には両ハンドル２，３の操作によって湯水が吐水される吐水管４が回転自在に装着された２ハンドル式のものであり、内部には横長の混合室５が形成され、該混合室５の下部両端には水側の第１嵌合孔６及び湯側の第１嵌合孔（図示省略）がそれぞれ開口され、上部両端には第１嵌合孔６と上下に向かい合わせて水側の第２嵌合孔７及び湯側の第２嵌合孔（図示省略）がそれぞれ開口されている。そして、第１嵌合孔６の内周面には第１雌ねじ部６ａが形成され、第２嵌合孔７の内周面には第２雌ねじ部７ａが形成されている。
【００１０】
前記第１嵌合孔６（湯側は水側と同一であるため図示及び説明を省略）の第１雌ねじ部６ａには、後述する通水管１２を接続するための管継手８が着脱自在に結合される。該管継手８は通水管１２を差し込むだけで接続することのできるプッシュロック式で、通水管１２の先端が結合される略円筒状の継手本体９と、該継手本体９に螺着するナット１０と、該ナット１０と継手本体９との間に配設されるリング１１とを備えている。
【００１１】
前記継手本体９は略円筒状で、一端の外周面に前記第１嵌合孔６の第１雌ねじ部６ａに螺着する第１雄ねじ部９ａが形成され、流体が通過する通路９ｂの一端には、本体１の通水路５と向かい合わせて止水用の弁座９ｃが環状に形成され、略中間部の外周面には第２雄ねじ部９ｄを形成し、該第２雄ねじ部９ｄの内周側には所定の間隔をおいて前記通水管１２より小径に形成した円筒状の案内部９ｅが形成されている。該案内部９ｅの先端は前記第２雄ねじ部９ｄより突出し、外周面先端側には一対の溝孔９ｆ，９ｆが軸方向に併設して環状に形成され、該溝孔９ｆ，９ｆには同一形状のシール部材９ｇ，９ｇがそれぞれ装着されている。
【００１２】
前記止水用の弁座は、通常の水栓金具では本体に一体に形成されているが、本体に結合される管継手に形成すれば、経年使用により弁座が磨耗した場合に本体はそのまま使用して管継手のみを交換すればよく、最小限の費用で水栓金具の修理を行なうことができる。また、管継手はステンレス，青銅等の耐食性，耐磨耗性の高い材料を使用し、本体は真鍮，黄銅鋳物，合成樹脂等の安価な材料を使用し、コストの低減を図ることができる。
【００１３】
前記シール部材９ｇ，９ｇは通水管１２の内周面に付着した異物の捕捉と水漏れを防止するためのもので、パッキン，Ｏリング等の弾性材からなり、通水管１２の先端が案内部９ｅに外嵌されるとシール部材９ｇ，９ｇは変形し、通水管１２の内周面に密着してシールが確実となるようにしている。
【００１４】
前記ナット１０は、内周面に前記継手本体９の第２雄ねじ部９ｄに螺着する雌ねじ部１０ａが形成され、該雌ねじ部１０ａの奥には、通水管１２が挿入される開口部１０ｂに向かうにつれて除々に小径にしたテーパー面１０ｃが形成されている。
【００１５】
前記リング１１は、ナット１０のテーパー面１０ｃの内側に挿入されるものであり、軸方向の一部にスリットを形成することで縮径及び拡径が可能で、内周面には通水管１２を容易に挿入するためのテーパー面１１ａが形成されている。
【００１６】
従って、リング１１は通水管１２の挿入時に拡径するので、管継手８に容易に挿入させることができるが、通水管１２を継手本体９から引き出そうとする力が加わるとリング１１は縮径し、継手本体９から引き出せないようにしている。
【００１７】
弁機構１３は止水機能と流量調節機能とを備えたものであり、前記管継手８の弁座９ｃに接離する弁体１５を備えた弁棒１４と、該弁棒１４を進退自在に挿通したガイド１６とからなり、該ガイド１６は前記第２嵌合孔７の第２雌ねじ部７ａに螺着し、弁棒１４の他端に結合した水側ハンドル２を回転方向に操作すれば、弁棒１４と共に弁体１５がガイド１６と弁座９ｂとの間を移動する。
【００１８】
水用又は湯用の通水管１２は容易に屈曲できる合成樹脂製のポリエチレン管，架橋ポリプロピレン管等で形成され、図３に示すように壁裏、床下では予め配設された蛇腹状の鞘管１７で覆われて外部から保護されており、上流側を水又は湯のヘッダー１８に接続し、鞘管１７から引き出され床上に立ち上がり、図２に示すように先端を前記管継手８の案内部９ｅに外嵌することで、通水管１２を管継手８に接続している。
【００１９】
固定具１９は天板Ｂの下部から各管継手８，８と通水管１２，１２の接続部分を覆うカバー２０，２０を備えた形状で、両側のカバー２０の間に一対の貫通孔２１，２１を穿設し、別に設けたボルト２２を天板Ｂの下部から貫通孔２１に挿通し、天板Ｂの取付孔Ｃに挿通して本体１の底面に設けたねじ孔１ａに螺着することで、水栓金具Ａと固定具１９で天板Ｂを挟みつけ、水栓金具Ａを天板Ｂに固定するものである。
【００２０】
今、水栓金具Ａの管継手８に通水管１２を接続する場合について説明すると、まず本体１に結合した管継手８を、浴室，流し台又は洗面台の天板Ｂに穿設した取付孔Ｃに上から挿通する。そして各ボルト２２を固定具１９の貫通孔２１に挿入して螺着すれば、水栓金具Ａは天板Ｂに固定される。次に天板Ｂの下部で、鞘管１７から引き出された水，湯の各通水管１２に固定具１９の各カバー２０を挿通させた後に、通水管１２を前記管継手８に差し込み接続する。
【００２１】
このように本発明では、通水管を管継手に差し込むだけで接続することのできるプッシュロック式で水栓金具に接続することができ、従来のようにナットを螺着して接続する必要がない。従って、誰にでも容易に接続することができ、施工ミスによる漏水を防止することができる。
【００２２】
【発明の効果】
本発明によると、通水管は水栓金具に結合した管継手に差し込むだけで接続することのできるプッシュロック式で容易に接続することができ、施工性を大幅に向上させることができる。
【００２３】
また、弁座を管継手に形成したので、弁座が磨耗した場合は管継手のみを交換すればよく、本体はそのまま利用することができ経済的である。また本体を安価な材料である真鍮，黄銅鋳物や合成樹脂で形成することができ、コストの低減を図ることができる。
【図面の簡単な説明】
【図１】本発明による水栓金具の正面図である。
【図２】図１の要部の拡大縦断面図である。
【図３】ヘッダー配管の全体説明図である。
【図４】従来技術の説明図である。
【図５】従来のヘッダー配管の全体説明図である。
【符号の説明】
１　　　　　　本体
２　　　　　　水側ハンドル
３　　　　　　湯側ハンドル
４　　　　　　吐水管
５　　　　　　混合室
６　　　　　　第１嵌合孔
８　　　　　　管継手
９　　　　　　継手本体
９ａ　　　　　第１雄ねじ部
９ｂ　　　　　通路
９ｃ　　　　　弁座
９ｄ　　　　　第２雄ねじ部
９ｅ　　　　　案内部
１０　　　　　ナット
１１　　　　　リング
１２　　　　　通水管
１３　　　　　弁機構
１５　　　　　弁体
Ａ　　　　　　水栓金具
Ｂ　　　　　　天板
【図１】
2004068514.tif 000003
【図２】
2004068514.tif 000004
【図３】
2004068514.tif 000005
【図４】
2004068514.tif 000006
【図５】
2004068514.tif 000007